(57)【要約】【課題】複数色により形成されるドット位置を調整し、少ないインク量でより濃度を上げ、更には調整誤差による印刷品質の低下を防ぐことを可能にする画像記録装置、及び画像記録装置の調整方法を提供するものである。【解決手段】記録媒体の搬送方向である副走査方向に対し、直交する主走査方向に形成されたノズル列が少なくとも１つ配設されて成る記録ヘッドを前記搬送方向に一定距離隔てて複数個配置し、それぞれの前記記録ヘッドの複数のノズルを駆動してインクを吐出させ、前記記録媒体上に記録処理を行う画像記録装置であって、上記記録ヘッドのノズル位置の調整量をテストパターンに基づいて算出し、この算出結果に基づいて、複数色の上記記録ヘッドにより形成される記録ドットの中心位置が、他の色と互いに異なる位置となるように調整することを特徴とする。【選択図】  図１
2011056880.tif 000002
【特許請求の範囲】
【請求項１】
記録媒体の搬送方向である副走査方向に対し、直交する主走査方向に形成されたノズル列が少なくとも１つ配設されて成る記録ヘッドを前記搬送方向に一定距離隔てて複数個配置し、それぞれの前記記録ヘッドの複数のノズルを駆動してインクを吐出させ、前記記録媒体上に記録処理を行う画像記録装置において、
前記記録ヘッドの前記ノズル位置の調整量をテストパターンに基づいて算出し、該算出結果に基づいて、複数色の前記記録ヘッドにより形成される記録ドットの中心位置が、他の色と互いに異なる位置となるように調整する、
ことを特徴とする画像記録装置。
【請求項２】
前記記録ヘッドは、短尺記録ヘッドを複数個千鳥状に配置することによって１色分のラインヘッドを構成し、前記調整は吐出ヘッドごとに行われる、ことを特徴とする請求項１記載の画像記録装置。
【請求項３】
前記調整は、前記テストパターンを記録し、該記録されたテストパターンのドット位置から前記主走査方向の前記調整量を算出し、該算出結果に基づき物理的に前記記録ヘッドの位置を調整する、ことを特徴とする請求項１に記載の画像記録装置。
【請求項４】
前記調整は、前記テストパターンを記録し、該記録されたテストパターンのドット位置から前記副走査方向の前記調整量を算出し、該算出結果に基づいて前記副走査方向の前記インクの吐出タイミングを調整する、ことを特徴とする請求項１に記載の画像記録装置。
【請求項５】
前記複数のインクは４色であって、前記各色のドットはそれぞれ前記主走査方向および前記副走査方向ともに前記ノズル間隔の１／２に配置し、
前記副走査方向の第１列目において、前記第１色と第２色は、前記主走査方向に交互に配置し、
前記副走査方向の第２列目において、前記第３色と第４色は、前記副走査方向に交互にて配置し、
前記副走査方向の第３列目以降は、前記副走査方向の第１列目と第２列目を繰返して配置されるように調整する、ことを特徴とする請求項１に記載の画像記録装置。
【請求項６】
前記各色ドットは、前記主走査方向と前記副走査方向ともに前記ノズル間隔の１／２に配置し、
前記副走査方向の第１列目において、前記第１色と第２色は、前記主走査方向に交互に前記１ノズル間隔で配置し、
前記第３色と第４色は、前記交互に配置された前記第１色と前記第２色の中央に交互に配置し、
前記副走査方向の第２列目において、前記副走査方向第１列目の第１色と第２色の順番、および第３色と第４色の順番を逆にして配置し、
前記副走査方向の第３列目以降においては、前記副走査方向の第１列目と第２列目を繰返して配置されるように調整する、ことを特徴とする請求項１に記載の画像記録装置。
【請求項７】
前記副走査方向の第１列目において、前記第１色と第２色は、前記主走査方向に交互に前記１ノズル間隔で配置し、
前記副走査方向の第２列目において、前記第３色と第４色は、前記副走査方向の第１列目より副走査方向に前記ノズルの１／４間隔ずれたところに位置し、かつ交互に配置された前記第１色と前記第２色の中央に交互に配置し、
前記副走査方向の第３列目において、前記副走査方向第１列目の第１色と第２色の順番、を逆にして配置し、
前記副走査方向の第４列目において、前記副走査方向第２列目の第３色と第４色の順番、を逆にして配置し、
前記副走査方向の第５列目以降は、前記副走査方向の第１列目から第４列目を繰返して配置されるように調整する、ことを特徴とする請求項１に記載の画像記録装置。
【請求項８】
記録媒体の搬送方向である副走査方向に対し、直交する主走査方向に形成されたノズル列が少なくとも１つ配設されて成る記録ヘッドを前記搬送方向に一定距離隔てて複数個配置し、それぞれの前記記録ヘッドの複数のノズルを駆動してインクを吐出させ、前記記録媒体上に記録処理を行う画像記録装置の調整方法において、
前記記録ヘッドの前記ノズル位置の調整量をテストパターンに基づいて算出し、該算出結果に基づいて、複数色の前記記録ヘッドにより形成される記録ドットの中心位置が、他の色と互いに異なる位置となるように調整する、
ことを特徴とする画像記録装置の調整方法。
【請求項９】
前記調整は、前記テストパターンを記録し、該記録されたテストパターンのドット位置から前記主走査方向の前記調整量を算出し、該算出結果に基づき物理的に前記記録ヘッドの位置を調整する、ことを特徴とする請求項８に記載の画像記録装置の調整方法。
【請求項１０】
前記調整は、前記テストパターンを記録し、該記録されたテストパターンのドット位置から前記副走査方向の前記調整量を算出し、該算出結果に基づいて前記副走査方向の前記インクの吐出タイミングを調整する、ことを特徴とする請求項８に記載の画像記録装置の調整方法。
【発明の詳細な説明】
【技術分野】
【０００１】
本発明は、画像記録装置におけるヘッドの組立精度に応じた調整を行うことによって、高精度の画像記録を可能とする画像記録装置、及び画像記録装置の調整方法に関する。
【背景技術】
【０００２】
従来、用紙やフィルム等の記録媒体に画像を記録（印刷）する場合、記録媒体を記録媒体の送り方向と直交する幅方向に移動しながらインクを吐出して画像を記録する走査型記録ヘッドを搭載した走査型画像記録装置、所謂シリアルプリンタが知られている。
【０００３】
また、記録媒体の幅以上の長さのノズル列（画像記録幅）を有する固定されたライン型記録ヘッドを搭載し、ノズル列の前面を搬送されて通過する記録媒体に画像を記録するライン型画像記録装置、所謂ラインプリンタも知られている。
【０００４】
これらの画像記録装置の中で、ライン型画像記録装置は、記録速度が速く、大量の印刷処理を必要とする市場の要望に応えることができ、主として業務用として使用されている。このライン型画像記録装置に搭載されるライン型記録ヘッドは、通常、記録媒体の幅方向（画像記録の主走査方向）に複数の吐出ヘッドを配置して構成されている。
【０００５】
このように複数の吐出ヘッドを用いた場合、色ズレのない高品質な記録画像を得るためには、個々の吐出ヘッドの間隔や、吐出ヘッドからインクを吐出するタイミングを適切に調整する必要がある。
【０００６】
例えば、特許文献１では、ドットの基本配列を正方格子、千鳥格子、或いは六方格子になるように制御している。また、特許文献２では、カラー印刷において、各色のノズル位置を厳密に調整することによって色ムラを抑える手段を開示している。
【先行技術文献】
【特許文献】
【０００７】
【特許文献１】特開２００５−１１１９８２号公報
【特許文献２】特開２００９−０２３２９２号公報
【発明の概要】
【発明が解決しようとする課題】
【０００８】
しかしながら、上記の特許文献１は１色のみのドット配列について記載されており、カラー印刷における複数色のインクを使用した場合の配列については何ら記載されていない。
また、上記特許文献２では、各色のノズル位置を厳密に合わせることによって、色ムラを抑えようとするが、如何に精密な調整機構であっても、全てのヘッドの位置を完全に一致させることは困難であり、僅かな調整残差により発生する色ムラが印刷品質の低下を招くことになる。
【０００９】
また、ノズル位置が厳密に合わせられることで、複数色のインクがほぼ同一位置に吐出され、面積あたりのインク量が増加する。これにより、より多くのインクが記録媒体に浸透し、裏面への写りこみが生じる。
【００１０】
さらに、濃度を上げるためには隣接するドットとの隙間がなくなるまでインク量を増加させる必要があり、より裏面への写りこみが増す。
そこで、本発明は上記課題に鑑みてなされたものであり、複数色により形成されるドット位置を調整し、少ないインク量でより濃度を上げ、更には調整誤差による印刷品質の低下を防ぐことを可能にする画像記録装置、及び画像記録装置の調整方法を提供することを目的とする。
【課題を解決するための手段】
【００１１】
上記目的を達成するため、本発明の態様のひとつである画像記録装置は、記録媒体の搬送方向である副走査方向に対し、直交する主走査方向に形成されたノズル列が少なくとも１つ配設されて成る記録ヘッドを前記搬送方向に一定距離隔てて複数個配置し、それぞれの前記記録ヘッドの複数のノズルを駆動してインクを吐出させ、前記記録媒体上に記録処理を行う画像記録装置において、前記記録ヘッドの前記ノズル位置の調整量をテストパターンに基づいて算出し、該算出結果に基づいて、複数色の前記記録ヘッドにより形成される記録ドットの中心位置が、他の色と互いに異なる位置となるように調整することを特徴とする。
【００１２】
また、本発明の別の態様のひとつである画像記録装置の調整方法は、記録媒体の搬送方向である副走査方向に対し、直交する主走査方向に形成されたノズル列が少なくとも１つ配設されて成る記録ヘッドを前記搬送方向に一定距離隔てて複数個配置し、それぞれの前記記録ヘッドの複数のノズルを駆動してインクを吐出させ、前記記録媒体上に記録処理を行う画像記録装置の調整方法において、前記記録ヘッドの前記ノズル位置の調整量をテストパターンに基づいて算出し、該算出結果に基づいて、複数色の前記記録ヘッドにより形成される記録ドットの中心位置が、他の色と互いに異なる位置となるように調整することを特徴とする。
【発明の効果】
【００１３】
本発明によれば、カラー印刷における複数色により形成される各色のドット位置の中心が互いに異なる位置になるように調整することで、少ないインク量でより濃度を上げ、裏面への写りこみを低減し、更には調整誤差による印刷品質の低下を防ぐことが可能となる。
【図面の簡単な説明】
【００１４】
【図１】本実施の形態における画像記録装置の機能ブロック図である。
【図２】本実施の形態における画像記録装置の構成を模式的に示す図である。
【図３】（ａ）は、記録部の構成を示す図であり、（ｂ）は、１列のノズルで構成される吐出ヘッド例を示す図である。
【図４】ヘッドのノズル構成の一部を拡大した図である。
【図５】主走査方向の同一位置にある異なる２色のノズルヘッドから吐出されたインクにより形成されたドットを示す図であり、（ａ）は主走査方向及び副走査方向の位置ずれが小さい場合の例を示す図であり、（ｂ）は主走査方向及び副走査方向の位置ずれが大きい場合の例を示す図である。
【図６】吐出ヘッドの主走査方向位置を調整する機構を説明する図であり、（ａ）は主走査方向位置調整機構を吐出ヘッドと共に示す上面図であり、（ｂ）はその側面図である。
【図７】本実施形態の処理動作を説明するフローチャートである。
【図８】ドット位置の合わせ方と位置の誤差による色ムラを説明する図であり、（ａ）は、ブラック（Ｋ）とシアン（Ｃ）の位置ずれなく、理想的な同一位置に印字されたドットを示す図であり、（ｂ）は、調整後も主走査方向に僅かな位置ずれが残る場合を示す図であり、（ｃ）は、ブラック（Ｋ）とシアン（Ｃ）を主走査方向のノズルピッチの半分である４２．３μｍずらして調整したドットを示す図であり、（ｄ）は、調整後も僅かな位置ずれが残る場合を示す図である。
【図９】第１の実施形態の主走査方向及び副走査方向におけるノズルヘッドの印刷位置調整が行われた後の各ノズルから吐出されたインク滴により記録媒体上に形成されたドットの中心位置を示す図である。
【図１０】調整のために印刷する画像データを示す図である。
【図１１】調整前に画像データが印刷された状態を模式的に示す図である。
【図１２】調整後に画像データが印刷された状態を模式的に示す図である。
【図１３】第２の実施形態の主走査方向及び副走査方向におけるノズルヘッドの印刷位置調整が行われた後の各ノズルから吐出されたインク滴により記録媒体上に形成されたドットの中心位置を示す図である。
【図１４】第２の実施形態における、調整後に画像データが印刷された状態を模式的に示す図である。
【図１５】主走査方向及び副走査方向における吐出ヘッドの第３の実施形態の印刷位置調整が行われた後の各ノズルから吐出されたインク滴により記録媒体１上に形成されたドットの中心位置を示す図である。
【図１６】第３の実施形態における、調整後に画像データが印刷された状態を模式的に示す図である。
【発明を実施するための形態】
【００１５】
以下、図面を参照して本発明の実施形態について詳細に説明する。
（第１の実施の形態）
図１は、第１の実施の形態における画像記録装置の機能ブロック図である。尚、この構成において、記録媒体１の搬送方向を副走査方向とし、副走査方向に対して直交する方向を主走査方向とする。また、図２は、上記の画像記録装置２の構成を模式的に示す図である。
【００１６】
上記図１及び図２において、画像記録装置２は、少なくとも制御部４と、媒体搬送機構５と、記録部６と、媒体回収部７とを備えている。
制御部４は、特には図示しないが、例えば制御機能及び演算機能を有するＭＰＵ（micro processing unit)、制御プログラムを格納するＲＯＭ（read only memory）、上記ＭＰＵのワークメモリとなるＲＡＭ（Random Access Memory）等からなる処理回路と、画像記録装置２の制御に関する設定値等を記憶する不揮発性メモリを備えている。
【００１７】
また、制御部４は、印刷データの処理機能を有する印刷データ処理部８、後述するテストパターン等のデータを記憶する記憶部９を備えている。上記のＲＡＭは、記憶部９の一部としても利用される。また、不揮発性メモリには、精度の高い画像を生成するため、インクの吐出を行うタイミングパラメータ等も記憶されている。
【００１８】
この画像記録装置２には、上位装置３がＬＡＮ（local area network）等を介して接続されている。上位装置３は、例えばパーソナルコンピュータであり、画像記録装置２に対して記録処理を実施する指示を送信し、その送信に続いて記録処理の対象となる画像や文字等から成る印刷データ（画像データ）を、例えばポストスクリプト（PostScript）等のコンピュータで印刷用の図や文字を表現するための形式（フォーマット）で送信する。
【００１９】
画像記録装置２の制御部４は、上位装置３から送られてくる印刷データを受信すると、その印刷データを記憶部９に一旦記憶する。そして、制御部４は、ＭＰＵによる所定の制御プログラムの実行により画像記録装置２の各構成部を制御して、記録部６により記録媒体１に対してインクを吐出して記録ドットを定着させ、印刷データの記録を実行する。
紙やフイルム等で構成される記録媒体１は、例えば所定のサイズでシート状に形成され、媒体搬送機構５の媒体給送部１０に収容されている。媒体搬送機構５は、上記の媒体給送部１０の他に、媒体支持部１１、駆動部１２、媒体搬送情報生成部１３、レジストローラ対１４ａ、排紙ローラ対１４ｂを備えている。
【００２０】
媒体給送部１０には、媒体給送ローラ１０ａが備えられており、媒体給送部１０は、制御部４の指示により、媒体給送ローラ１０ａを回転させ、最上部の記録媒体１を１枚づつ取り出し、取り出した記録媒体１を媒体支持部１１に給送する。
【００２１】
媒体支持部１１は、駆動ローラ１１ａと従動ローラ１１ｂとに掛け渡された無端ベルト１１ｃからなる記録媒体搬送部と、駆動ローラ１１ａのプーリ１１ｄと、このプーリ１１ｄと駆動部１２のモータ軸プーリとの間に掛け渡されたプーリーベルト１１ｅとから成る動力伝達部と有している。
【００２２】
駆動ローラ１１ａの回転軸には、例えばロータリエンコーダからなる媒体搬送情報生成部１３が取り付けられている。この媒体搬送情報生成部１３は、駆動ローラ１１ａの回転量、即ち記録媒体１の搬送量（移動量）に対応したパルス信号を生成して制御部４に通知する。
【００２３】
制御部４は、媒体搬送情報生成部１３から出力されるパルス信号に基づいて駆動部１２のモータの回転を制御し、これにより駆動部１２によりプーリーベルト１１ｅ、プーリ１１ｄ等を介して、図２に矢印で示す時計回り方向に回転駆動される無端ベルト１１ｃの搬送速度と搬送タイミングを制御する。
【００２４】
媒体支持部１１の媒体搬送方向上流側（図２の左方）にはレジストローラ対１４ａが配設され、媒体搬送方向下流側（図の右方）には排紙ローラ対１４ｂが配設されている。
媒体給送部１０から給送された記録媒体１は、レジストローラ対１４ａで搬送姿勢を補正され、搬送タイミングに合わせて、媒体支持部１１に給送され、図示しないファンにより無端ベルト１１ｃの上面に吸着されつつ搬送され、記録部６の下方を通過する。
【００２５】
記録部６は、媒体搬送機構５の無端ベルト１１ｃに対向して配設されており、Ｋ（ブラック）、Ｃ（シアン）、Ｙ（イエロー）、及びＭ（マゼンタ）の各色のライン型記録ヘッド１５Ｋ、１５Ｃ、１５Ｙ、及び１５Ｍを配設して成る。
【００２６】
この記録部６は、制御部４から印刷処理の実行指示を受けると、無端ベルト１１ｃ上に載って搬送される記録媒体１に対し、媒体搬送情報生成部１３により生成されるパルス信号に同期した所定のタイミングで、印刷データに対応する色のライン型記録ヘッド（１５Ｋ〜１５Ｍ）のインク吐出ノズルから対応する色のインクを吐出して、印刷データに基づく画像や文字等の記録処理を行う。
【００２７】
ヘッド位置調整機構２５は、記録部６に設けられ、記録ヘッドのノズル列方向の位置を調整することでより精度の高い画像形成が可能である。
記録処理が完了した記録媒体１は、排紙ローラ対１４ｂに搬送を引き継がれ、媒体回収部７に排出され、媒体回収部７に収納される。
【００２８】
尚、上記インク吐出ノズルが吐出するインクによって記録媒体１上に形成される記録ドットは、例えば３００ｄｐｉ（ドット／２５．４ｍｍ、以下同様）の解像度を有する。
また、このとき制御部４は、不揮発性メモリに保存されたタイミングパラメータをもとに、詳しくは後述する調整されたタイミングで印刷処理を実行する指示信号を出力することにより精度の高い画像形成が可能である。
【００２９】
図３（ａ）は、上記記録部６の構成を示す図である。尚、図３（ａ）は図２に示す記録部６を下方から見た図である。また、図３（ａ）に示す矢印ａは、記録媒体１に対する記録の主走査方向を示し、矢印ｂは記録媒体１の搬送方向（記録の副走査方向）を示す。
【００３０】
図３（ａ）に示すように、記録部６は、Ｋ（ブラック）、Ｃ（シアン）、Ｙ（イエロー）、及びＭ（マゼンタ）の各色のライン型記録ヘッド１５Ｋ、１５Ｃ、１５Ｙ、及び１５Ｍを備えている。
これらライン型記録ヘッド１５Ｋ〜１５Ｍは、記録媒体１の搬送経路の上流側から下流側へ、つまり記録の副走査方向に１５Ｋ、１５Ｃ、１５Ｙ、及び１５Ｍの順に配置されている。そして、各ライン型記録ヘッド１５Ｋ、１５Ｃ、１５Ｙ、及び１５Ｍは、それぞれ記録の主走査方向にほぼ平行に並ぶ多数のインク吐出ノズル１７（以下、単にノズル１７で示す）を備えている。
【００３１】
ここで、例えばライン型記録ヘッド１５Ｋを取り上げて構成を説明すると、上記多数のノズル１７は、４個の吐出ヘッド１６で構成され、各吐出ヘッド１６は２つのノズルヘッド１６−ｎ（ｎ＝１、３、５、７）と１６−ｍ（ｍ＝２、４、６、８）を平行に並べて貼り合わせて構成されている。
【００３２】
各２つのノズルヘッド１６−ｎ及び１６−ｍは、本例ではそれぞれ１５０ｄｐｉの解像度を有する。そして、ノズルヘッド１６−ｎと１６−ｍは、それぞれの各ノズル１７が、相手のノズルヘッドのノズル１７が構成するノズル列の各ノズル間隔の主走査方向の中間に位置するように、貼り合わされている。
【００３３】
換言すれば、隣り合うノズルヘッド１６−ｎと１６−ｍのノズル１７の主走査方向の間隔の半分をずらして貼り合わされている。この構成により、各吐出ヘッド１６は、３００ｄｐｉの解像度が得られるように構成されている。以下、解像度を３００ｄｐｉとし、ノズル間隔を８４．７μｍとして説明する。
【００３４】
また、４個の吐出ヘッド１６は、主走査方向に隣接する吐出ヘッド１６との端部が重なるように千鳥状に配置されている。これにより、４個の吐出ヘッド１６による一度の記録動作で、記録媒体１の主走査方向全域に渡って記録処理が行える構成である。
【００３５】
他のライン型記録ヘッド１５Ｃ、１５Ｙ、及び１５Ｍについても同様であり、それぞれ４個の吐出ヘッド１６で構成され、各吐出ヘッド１６は２つのノズルヘッド１６−ｎ（ｎ＝９、１１、１３、・・・、２９、３１）と１６−ｍ（ｍ＝１０、１２、１４、・・・、３０、３２）を平行に並べて貼り合わせて構成されている。上記他のライン型記録ヘッド１５Ｃ、１５Ｙ、及び１５Ｍに配設されたノズルヘッド１６−ｎと１６−ｍは、吐出する色が異なるだけで、機能・作用はライン型記録ヘッド１５Ｋの場合と同様である。
【００３６】
尚、図３（ａ）における記録部６の構成では、吐出ヘッド１６の構成を２つのノズルヘッド１６−ｎと１６−ｍを平行に並べて貼り合わせた構成としているが、これに限ることなく、図３（ｂ）に示す吐出ヘッド１６ａのように、１列のノズルを有するノズルヘッドが、そのまま吐出ヘッドを構成するようにしてもよい。
【００３７】
ところで、図３（ａ）及び（ｂ）の記録部６の構成における吐出ヘッド１６又は１６ａの位置は、組立時の取付け誤差や取付け部材の加工誤差により、主走査方向及び副走査方向のそれぞれの方向において、本来の設計位置との誤差が生じることは避けられず、主走査方向及び副走査方向の印刷位置を調整する手段が吐出ヘッド１６毎に設けられている。
【００３８】
図４は、上記記録部６の構成の一部を拡大した図であり、ノズルヘッド１６−１とノズルヘッド１６−９が製造誤差により、例えば主走査方向に距離ａのずれが生じた場合を示している。また、ノズルヘッド１６−３とノズルヘッド１６−１１についても製造誤差により、例えば主走査方向に距離ｂのずれが生じた場合を示している。同様に、全てのノズルヘッド１６−１〜１６−３２は、主走査方向に同一位置となるように設計されたノズルヘッド間でも、位置ずれを生じる。
【００３９】
また、ノズルヘッド１６−１と１６−９は、図４に示すように副走査方向に距離ｃだけ離れた位置に配置されているため、記録媒体１の搬送速度にて距離ｃを移動する時間だけ、インクの吐出タイミングを調整することで、副走査方向にずれのない画像を形成することが可能である。例えば、記録媒体１の搬送速度をＶとした場合、ノズルヘッド１６−９は、以下の式で表される時間Ｔだけノズルヘッド１６−１から遅れてインクを吐出することで調整することができる。
Ｔ＝ｃ／Ｖ
【００４０】
同様に、ノズルヘッド１６−９〜１６−３２は、搬送方向の最上流に位置する１６−１及び１６−８からの距離に応じ、搬送速度から算出される時間だけ遅らせて、インクを吐出する。実際には、ノズルヘッド１６−１と１６−９は、製造誤差により副走査方向に本来の設計値である距離ｃとは僅かに異なる位置に配置されている。同様に、全てのノズルヘッド１６−１〜１６−３２は、製造誤差により、副走査方向に本来の設計値である距離とは僅かに異なる位置に配置されている。
【００４１】
図５は、主走査方向の同一位置にある異なる２色のノズルヘッド１６−１及び１６−２５におけるノズル１７から吐出されたインクにより形成されたドットを示す図である。図５（ａ）は主走査方向及び副走査方向の位置ずれが小さい場合の例であり、図５（ｂ）は主走査方向及び副走査方向の位置ずれが大きい場合の例である。例えば、ドット２６−１及び２６−２がブラック（Ｋ）、ドット２７−１及び２７−２がマゼンタ（Ｍ）である場合、位置ずれが少ない図５（ａ）は濃度の高いブラック（Ｋ）にマゼンタ（Ｍ）が隠れるため黒く見え、位置ずれが大きい図５（ｂ）はブラック（Ｋ）とは重ならない部分のマゼンタ（Ｍ）の面積が広いため、赤みを帯びた黒色となって見える。
【００４２】
このようにノズルヘッド１６−１〜１６−３２の位置ずれがヘッドにより異なることで、形成された画像にはヘッドごとの色ムラが大きく表れる。そこで、各々のノズルヘッド１６−１〜１６−３２は、主走査方向の位置ずれが均一となり、後述する本発明の調整機構にて色むらが最小になるように位置が調整される。また、ノズルヘッド１６−１〜１６−３２は、副走査方向のずれが均一となり、色ムラが最小になるようにインクの吐出タイミングが調整される。
【００４３】
図６（ａ）、（ｂ）は、吐出ヘッド１６の主走査方向位置を調整する機構を説明する図であり、図６（ａ）は主走査方向のヘッド位置調整機構２５を吐出ヘッドと共に示す上面図、図６（ｂ）はその側面図である。
【００４４】
尚、ここでも、図３（ａ）に示したライン式記録ヘッド１５Ｋのノズルヘッド１６−１及び１６−２から成る吐出ヘッド１６を代表的に１個のみ取り上げて説明する。もちろん、ここで説明する主走査方向のヘッド位置調整機構２５は他の吐出ヘッド１６についても同様に取り付けられている。
【００４５】
図６（ａ）、（ｂ）に示すように、吐出ヘッド１６はヘッドホルダ１８に保持されている。位置調整用ノブ２０には軸周面に雄螺子が形成されており、この雄螺子の部分に、円錐形状を有する位置調整ナット２１の雌螺子が螺合している。したがって、位置調整用ノブ２０の回転により、位置調整ナット２１が上下に移動可能な構成である。
【００４６】
この位置調整ナット２１は、ヘッドホルダ１８の端部に円錐面を当接させている。また、板ばね２３は、ヘッド保持部材２４に設けられ、ヘッドホルダ１８を挟んで位置調整ナット２１と対向する位置において、ヘッドホルダ１８に当接してヘッドホルダ１８を位置調整ナット２１に向けて付勢している。
【００４７】
以上の構成により、位置調整用ノブ２０を回転させることによって位置調整ナット２１を、上方向又は下方向に移動させ、ヘッドホルダ１８を右方向又は左方向（主走査方向）に移動させることができる。したがって、ヘッドホルダ１８に保持されている吐出ヘッド１６は、ヘッドホルダ１８と共に主走査方向の左右いずれかへ移動可能な構成である。
図７は、吐出ヘッド１６の主走査方向及び副走査方向の位置ずれを調整する手順を説明するフローチャートである。
【００４８】
先ず、各吐出ヘッド１６における主走査方向の位置ずれを算出するためのテストパターンを印刷する（ステップ（以下、Ｓで示す）１）。この処理は、例えば記憶部９に予め記憶させておいた主走査方向の位置ずれを算出するためのテストパターンを読み出し、記録ヘッド（記録部６）にテストパターンの画像情報を送信し、対応するノズルヘッド１６−１〜１６−３２から記録媒体１にインクを吐出することによって記録媒体１にテストパターンを印刷する。
【００４９】
次に、印刷されたテストパターンをスキャナによって読み取る（Ｓ２）。尚、このテストパターンの読み取り処理は、所定の解像度を持つ公知のスキャナを使用して行う。
続いて、スキャナによって読み取られたテストパターンから各々の吐出ヘッドの位置を算出し、各吐出ヘッドの主走査方向位置を調整する調整量を算出する（Ｓ３）。
【００５０】
上記算出結果に基づいて、各吐出ヘッドの主走査方向位置の調整が終了したか判断する（Ｓ４）。ここで、主走査方向位置調整が終了していれば（Ｓ４がＹＥＳ）、次の副走査方向の位置ずれ調整に移行するが、通常最初の上記判断（Ｓ４）はＮＯであり、算出れた移動量に応じて各々の吐出ヘッドを移動させ、主走査方向の位置調整を行う（Ｓ５）。この処理は、前述の図６（ａ）、（ｂ）に示す位置調整用ノブ２０を回転させることによって、ヘッドホルダ１８を右方向又は左方向（主走査方向）に移動させ、各々の吐出ヘッドの主走査方向の位置調整を行う。
【００５１】
その後、主走査方向位置調整を繰り返し、主走査方向位置調整が終了すると（Ｓ４がＹＥＳ）、次に副走査方向の位置ずれ調整に移行する。
先ず、副走査方向の位置ずれを算出するためのテストパターンを印刷する（Ｓ６）。この処理も前述と同様、例えば記憶部９に予め記憶させておいた副走査方向の位置ずれを算出するためのテストパターンを読み出し、記録ヘッド（記録部６）にテストパターンの画像情報を送信し、ノズルヘッド１６−１〜１６−３２からインクを吐出し、記録媒体１にテストパターンを印刷する。
【００５２】
次に、記録媒体に印刷された副走査方向の位置ずれ調整用のテストパターンをスキャナによって読み取る（Ｓ７）。そして、スキャナで読み取った画像から、副走査方向における各ノズルのインク吐出タイミングの調整量を算出する（Ｓ８）。
【００５３】
次に、副走査方向の位置調整が終了したか判断し（Ｓ９）、副走査方向の位置調整が終了していなければ（Ｓ９がＮＯ）、上記処理によって算出された移動量をメモリに保存し（Ｓ１０）、上記処理を繰り返す（Ｓ６〜Ｓ１０）。
【００５４】
その後、副走査方向の位置調整が終了すると（Ｓ９がＹＥＳ）、処理を終了する。したがって、上記処理の終了によって、副走査方向の移動量の最終値がメモリに保存される。  
【００５５】
上記処理により、印刷時には、メモリに保存されたタイミング情報が読み出され、各々のノズルからのインク吐出タイミングが調整される。
【００５６】
図８は、ドット位置の合わせ方と位置の誤差による色ムラを説明する図である。尚、説明を簡略化するため、ブラック（Ｋ）とシアン（Ｃ）の２色のみのドット位置について説明する。また、ノズルヘッド１６−１におけるノズル１７から吐出されたインクにより形成されたドットを２８−１〜２８−４で示し、ノズルヘッド１６−９におけるノズル１７から吐出されたインクにより形成されたドットを２９−１〜２９−４で示す。
【００５７】
図８（ａ）は、ブラック（Ｋ）とシアン（Ｃ）のドット位置にずれなく、理想的な同一位置に印字されたドットを表す図である。全てのノズルヘッド１６−１〜１６−３２によるドットの形成位置が、誤差なく同一位置に調整された場合、色ムラはほとんど現われない。しかしながら、全てを理想的な状態に調整するのは困難であり、調整後も僅かな位置ずれが残る。
【００５８】
図８（ｂ）は、調整後も主走査方向に僅かな位置ずれが残る場合であり、ブラック（Ｋ）とシアン（Ｃ）の中心位置が１０μｍだけずれている。僅かな位置ずれがノズルヘッド１６−１〜１６−３２毎に異なることで、吐出ヘッド毎の色ムラが大きく現れる。
【００５９】
図８（ｃ）は、ブラック（Ｋ）とシアン（Ｃ）を主走査方向のノズルピッチの半分である４２．３μｍずらして調整したドットを表す。また、図８（ｄ）は、調整後も僅かな位置ずれが残る場合であり、ブラック（Ｋ）とシアン（Ｃ）の中心位置が４２．３μｍに対して１０μｍ少なくなっており、中心位置の距離が３２．３μｍとなっている。この場合、僅かな位置ずれがノズルヘッド１６−１〜１６−３２ごとに異なっても、元々の位置が半ピッチずれた状態で調整されているため、大きな色ムラとはならず、良好な画像が形成される。ブラック（Ｋ）とシアン（Ｃ）の位置関係について説明したが、他の色の組み合わせであっても位置と色ムラとの関係は同じである。
【００６０】
また、上記説明は主走査方向の位置ずれについてであるが、副走査方向におけるドット位置と色ムラの関係も同じ振る舞いである。
【００６１】
図９は、主走査方向及び副走査方向におけるノズルヘッド１６−１〜１６−３２の印刷位置調整が行われた後の各ノズルから吐出されたインク滴により記録媒体１上に形成されたドットの中心位置を示す図である。図中、Ｋ、Ｃ、Ｍ、Ｙが記された丸印は、それぞれがブラック、シアン、マゼンタ、イエローで印字されたドットの中心位置を示す。また、図中の矢印ａ、ｂはそれぞれ主走査方向及び副走査方向を示している。
【００６２】
図９では、それぞれの色で形成されたドットは、主走査方向及び副走査方向に３００ｄｐｉ（８４．５μｍ）の間隔で並べられている。また、ブラック（Ｋ）とマゼンタ（Ｍ）で形成されたドットは、主走査方向に同一の位置に配置されている。同様に、シアン（Ｃ）とイエロー（Ｙ）で形成されたドットは、主走査方向に同一の位置に配置されている。また、ブラック（Ｋ）／マゼンタ（Ｍ）とシアン（Ｃ）／イエロー（Ｙ）の主走査方向位置は、互いにドット間隔の中心に位置するように、４２．３μｍずらされた位置に配設されている。
【００６３】
さらに、ブラック（Ｋ）とシアン（Ｃ）で形成されたドットは、副走査方向に同一の位置に配置されている。同様に、マゼンタ（Ｍ）とイエロー（Ｙ）で形成されたドットも、副走査方向に同一の位置に配置されている。また、ブラック（Ｋ）／シアン（Ｃ）とマゼンタ（Ｍ）／イエロー（Ｙ）の副走査方向位置は、互いにドット間隔の中心に位置するように、４２．３μｍずらされた位置に配設されている。上記構成により、一つの色で見た場合のドットは、単色の配列を示す擬似線３０に示される正方配列となっている。また、全色のドットは、全色の配列を示す擬似線３１に示される正方配列となっている。
【００６４】
次に、調整に使用するテストパターンと調整後の画像について説明する。
図１０は、調整のために印刷するテストパターンを示す。同図に示すの丸付き文字、Ｋ、Ｃ、Ｍ、Ｙは、それぞれがドットの中心位置を示している。また、それぞれのドットは、隣接するドットが重ならないように、主走査方向及び副走査方向にそれぞれ５画素間隔となる４２３．３μｍ離れた距離に位置する画像である。
【００６５】
図１１は、上記テストパターンを使用して印刷処理を行った場合の一例を模式的に示す図であり、丸付き文字はドットの中心位置を示している。尚、それぞれのドットは、調整前のため整列されておらず、位置が乱れている。
【００６６】
図１２は、上記図１１に示す調整前の印刷状態に対して、調整後の印刷状態を模式的に示す図であり、丸付き文字はドットの中心を示している。また、各色毎のドット間隔は、本来の位置である５画素間隔となるように、主走査方向及び副走査方向にそれぞれ４２３．３μｍ離れた位置に調整される。
【００６７】
例えば、図９に示す配置となるように、シアン（Ｃ）色のドットは、ブラック（Ｋ）色に対して主走査方向にのみ０．５画素ずらすため、副走査方向にはブラック（Ｋ）色と同一位置に、主走査方向にはブラック（Ｋ）色から０．５画素離れた４２．３μｍの位置となるように調整される。
【００６８】
また、マゼンタ（Ｍ）色のドットは、ブラック（Ｋ）色に対して副走査方向にのみ０．５画素ずらすため、主走査方向にはブラック（Ｋ）色と同一位置に、副走査方向にはブラック（Ｋ）色から０．５画素離れた４２．３μｍの位置となるように調整される。
【００６９】
イエロー（Ｙ）色のドットは、ブラック（Ｋ）色に対して主走査方向及び副走査方向それぞれに０．５画素ずらすため、主走査方向と副走査方向それぞれにブラック（Ｋ）色から０．５画素離れた４２．３μｍの位置となるように調整される。以上のように調整することで、図９に示すドット配列が実現できる。
【００７０】
本実施形態によれば、各ヘッドが吐出するドットの位置調整を行うことで、ブラック（Ｋ）、シアン（Ｃ）、マゼンタ（Ｍ）、イエロー（Ｙ）の各色インクにより形成されるドットは、記録媒体１上では互いに離れた位置に形成される。このため、各ヘッドの位置調整における調整残差があってもヘッド間の色ムラが少なく、良好な画像形成が可能である。
【００７１】
また、色を重ねる場合、異なる色の複数のドットを同じ位置に形成することで単位面積当たりのインク量が増え、記録媒体１に染み込むインクの量が増え、裏面への写りこみが大きくなるが、色毎にドットの中心位置をずらすことで、裏面への写りこみを少なく抑えることが可能である。
【００７２】
さらに、ブラック（Ｋ）のみの印字ではドット間の隙間により、濃度を上げることができない場合でも、シアン（Ｃ）、マゼンタ（Ｍ）、イエロー（Ｙ）を組み合わせたプロセスブラックで隙間が埋められるため、濃度を高めることも可能である。
【００７３】
ここでは、ブラック（Ｋ）とマゼンタ（Ｍ）、シアン（Ｃ）とイエロー（Ｙ）をそれぞれ主走査方向に同じ位置、ブラック（Ｂ）とシアン（Ｃ）、マゼンタ（Ｍ）とイエロー（Ｙ）を副走査方向に同じ位置としたが、異なる組み合わせであっても効果が損なわれることはなく、組み合わせを限定するものではない。
【００７４】
（第２の実施の形態）
次に、本発明の第２の実施の形態について説明する。
図１３は、主走査方向及び副走査方向におけるノズルヘッド１６−１〜１６−３２の第２の実施形態の印刷位置調整が行われた後の各ノズルから吐出されたインク滴により記録媒体１上に形成されたドットの中心位置を示す図である。図中、Ｋ、Ｃ、Ｍ、Ｙが記された丸印は、それぞれがブラック、シアン、マゼンタ、イエローで印刷されたドットの中心位置を示す。また、図中の矢印ａ、ｂはそれぞれ主走査方向及び副走査方向を示している。
【００７５】
それぞれのドットは、主走査方向、副走査方向ともに３００ｄｐｉ（ノズル間隔８４．７μｍ）の１／２間隔、即ち４２．３μｍの間隔で並べられている。
また、図１３におけるドット構成は、副走査方向の第１列目において、ブラック（Ｋ）色とマゼンタ（Ｍ）色は、主走査方向に交互に１ノズル間隔で配置し、シアン（Ｃ）色とイエロー（Ｙ）色は、交互に配置された上記ブラック（Ｋ）色とマゼンタ（Ｍ）色の中央に交互に配置し、副走査方向の第２列目において、副走査方向第１列目のブラック（Ｋ）色とマゼンタ（Ｍ）色の順番、及びシアン（Ｃ）色とイエロー（Ｙ）色の順番を逆にして配置し、副走査方向の第３列目以降においては、副走査方向の第１列目と第２列目を繰返して配置されるように各色ドットの配置と副走査方向のタイミングが調整される。
【００７６】
尚、一つの色のみに着目した場合、形成されたドットは、副走査方向では１ノズル間隔おきに、主走査方向では、２ノズル間隔おきに配置されている。これにより、一つの色で見た場合のドットは、図１３に示すように単色の配列を示す擬似線３２に示されるような六方最密もしくは六方最密に近似した配列となっている。また、全色のドットは、全色の配列を示す擬似線３３に示される正方配列である。
【００７７】
本実施の形態によれば、各ヘッドが吐出するドットの位置調整を行うことで、ブラック、シアン、マゼンタ、イエローの各色インクにより形成されるドットは、記録媒体１上では互いに離れた位置に形成される。このため、各ヘッドの位置調整における調整残差があってもヘッド間の色ムラが少なく、良好な画像形成が可能である。また、色を重ねる場合、異なる色の複数のドットを同じ位置に形成することで単位面積あたりのインク量が増え、記録媒体１に染み込むインクの量が増し、裏面への写りこみが大きくなるが、色毎にドットの中心位置をずらすことで、裏面への写りこみを少なく抑えることが可能である。
【００７８】
さらに、ブラック（Ｋ）のみの印字ではドット間の隙間により、濃度を上げることができない場合でも、シアン（Ｃ）、マゼンタ（Ｍ）、イエロー（Ｙ）を組み合わせたプロセスブラックで隙間が埋められるため、濃度を高めることも可能である。さらに、ブラック、シアン、マゼンタ、イエローいずれかの単色で印刷を行った場合には、六方最密もしくは六方最密に近似した配列であることから、ドット間の空白が少なく抑えられ、より濃度を高めることが可能である。
【００７９】
次に、本発明の第２実施例の調整に使用するパターンと調整後の画像について説明する。尚、主走査方向、及び副走査方向の調整方法は、前述の第１の実施形態で説明した場合と同じである。
図１４は、調整後に画像データが印刷された状態を模式的に示す図であり、丸付き文字はドットの中心を示している。
【００８０】
各色毎のドット間隔は、主走査方向の間隔が本来の位置である５画素となるように、４２３．３μｍ離れた位置に調整される。また、副走査方向における各色のドット間隔は、隣接するドットが０．５画素ずれるように本来の位置である５画素に対して０．５
画素多い５．５画素（４６５．７μｍ）と０．５画素少ない４．５画素（３８１．０μｍ）が交互になるように調整される。
【００８１】
シアン（Ｃ）色のドットは、ブラック（Ｋ）色に対して主走査方向にのみ０．５画素ずらすため、主走査方向にはブラック（Ｋ）色から０．５画素離れた４２．３μｍの位置となるように調整される。また、副走査方向におけるシアン（Ｃ）色のドットは、主走査方向に同一位置のブラック（Ｋ）色のドットから副走査方向に本来の間隔である５画素（４６５．７μｍ）離れた位置に調整される。
【００８２】
マゼンタ（Ｍ）色のドットは、ブラック（Ｋ）色に対して副走査方向にのみ０．５画素ずらすため、副走査方向には、主走査方向に同一位置のブラック（Ｋ）色のドットから本来の位置である１０画素に対して０．５画素多い１０．５画素（８８９．０μｍ）離れた位置となるように調整される。主走査方向におけるマゼンタ（Ｍ）色のドットは、ブラック（Ｋ）色と同一位置になるように調整される。
【００８３】
イエロー（Ｙ）色のドットは、ブラック（Ｋ）色に対して主走査方向及び副走査方向それぞれに０．５画素ずらすため、主走査方向にはブラック（Ｋ）色から０．５画素離れた４２．３μｍの位置となるように調整される。副走査方向におけるイエロー（Ｙ）色のドットは、主走査方向に同一位置のブラック（Ｋ）色のドットから本来の位置である１５画素に対して０．５画素多い１５．５画素（１３１２．３μｍ）離れた位置となるように調整される。
【００８４】
以上のように調整することで、図１４に示されるドット配列が実現できる。尚、図３（ｂ）に示す吐出ヘッド１６ａを用いた場合、各ノズルヘッドからのインクの吐出タイミングは、全てのノズル１７で同じとはせず、偶数ノズルと奇数ノズルとでタイミングを４２．３μｍずらすことで同じ効果が得られる。
【００８５】
ここでは、ブラック（Ｋ）とマゼンタ（Ｍ）、シアン（Ｃ）とイエロー（Ｙ）をそれぞれ主走査方向に同じ位置としたが、異なる組み合わせであっても効果が損なわれることはなく、組み合わせを限定するものではない。
【００８６】
（第３の実施の形態）
次に、本発明の第３の実施の形態について説明する。
図１５は、主走査方向及び副走査方向における吐出ヘッド１６の第３の実施形態の印刷位置調整が行われた後の各ノズルから吐出されたインク滴により記録媒体１上に形成されたドットの中心位置を示す図である。図中、Ｋ、Ｃ、Ｍ、Ｙが記された丸印は、それぞれがブラック、シアン、マゼンタ、イエローで印刷されたドットの中心位置を示す。図中の矢印ａ、ｂはそれぞれ主走査方向及び副走査方向を示している。
【００８７】
図１５におけるドット構成は、第２実施形態のドット構成（図１３）において、主走査方向の偶数列目のドット位置を、それぞれ副走査方向に１／４ノズル間隔（２１．２μｍ）だけずらした位置で構成されるように副走査方向の吐出タイミングが調整される。
【００８８】
上記構成により、一つの色で見た場合のドットは、単色の配列を示す擬似線３４に示される六方最密もしくは六方最密に近似した配列となっている。また、全色のドットは、全色の配列を示す擬似線３５に示されるように六方最密もしくは六方最密に近似した配列となっている。
【００８９】
次に、調整に使用するパターンと調整後の画像について説明する。尚、主走査方向、及び副走査方向の調整方法は、前述の第１の実施形態と同じである。
図１６は、調整後に画像データが印刷された状態を模式的に示す図であり、丸付き文字はドットの中心を示している。各色毎のドット間隔は、主走査方向の間隔が本来の位置である５画素となるように、４２３．３μｍ離れた位置に調整される。また、副走査方向における各色のドット間隔は、隣接するドットが０．５画素ずれるように本来の位置である５画素に対して０．５画素多い５．５画素（４６５．７μｍ）と０．５画素少ない４．５画素（３８１．０μｍ）が交互になるように調整される。
【００９０】
シアン（Ｃ）色のドットは、ブラック（Ｋ）色に対して主走査方向に０．５画素、副走査方向に１／４画素ずらされる。したがって、主走査方向におけるシアン（Ｃ）色のドット位置はブラック（Ｋ）色から０．５画素離れた４２．３μｍの位置となるように調整される。また、副走査方向におけるシアン（Ｃ）色のドットは、主走査方向に同一位置のブラック（Ｋ）色のドットから副走査方向に本来の間隔である５画素に対して１／４画素多い５．２５画素（４４４．５μｍ）離れた位置に調整される。
【００９１】
マゼンタ（Ｍ）色のドットは、ブラック（Ｋ）色に対して主走査方向に同一位置、副走査方向に０．５画素ずらされる。したがって、主走査方向におけるマゼンタ（Ｍ）色のドット位置はブラック（Ｋ）色と同一位置になるように調整される。また、副走査方向におけるマゼンタ（Ｍ）色のドットは、主走査方向に同一位置のブラック（Ｋ）色のドットから副走査方向に本来の間隔である１０画素に対して０．５画素多い１０．５画素（８８９．０μｍ）離れた位置に調整される。
【００９２】
イエロー（Ｙ）色のドットは、ブラック（Ｋ）色に対して主走査方向に０．５画素、副走査方向上方に１／４画素ずらされる。したがって、主走査方向におけるイエロー（Ｙ）色のドット位置はブラック（Ｋ）色から０．５画素離れた４２．３μｍの位置となるように調整される。また、副走査方向におけるイエロー（Ｙ）色のドットは、主走査方向に０．５画素ずれた位置のブラック（Ｋ）色のドットから副走査方向に本来の間隔である１５画素に対して１／４画素少ない１４．７５画素（１２４８．８μｍ）離れた位置に調整される。
【００９３】
以上のように調整することで、図１６に示されるドット配列が実現できる。
本実施形態によれば、各ヘッドが吐出するドットの位置調整を行うことで、ブラック、シアン、マゼンタ、イエローの各色インクにより形成されるドットは、記録媒体１上では互いに離れた位置に形成される。このため、各ヘッドの位置調整における調整残差があってもヘッド間の色ムラが少なく、良好な画像形成が可能である。
【００９４】
また、ブラック、シアン、マゼンタ、イエローいずれかの単色で見た場合と、全色のドットで見た場合のいずれにおいても、ドットの配列が六方最密もしくは六方最密に近似した配列であることから、裏面への写りこみを少なく抑え、濃度を高めることが可能である。
【００９５】
ここではブラック（Ｋ）とマゼンタ（Ｍ）、シアン（Ｃ）とイエロー（Ｙ）をそれぞれ主走査方向に同じ位置としたが、異なる組み合わせであっても効果が損なわれることはなく、組み合わせを限定するものではない。
【００９６】
なお、吐出ヘッド１６ａを用いた場合、各ノズルヘッドからのインクの吐出タイミングは、全てのノズル１７で同じとはせず、偶数ノズルと奇数ノズルとでタイミングを４２．３μｍずらすことで同じ効果が得られる。
【００９７】
また、本発明は上記実施形態に限定されるものではなく、実施段階ではその要旨を逸脱しない範囲で構成要素を変形して具体化できる。また、本発明は、前述した実施形態に開示されている複数の構成要素の適宜な組み合わせにより、種々の発明をなすことができる。例えば本発明は、実施形態に示される全構成要素から幾つかの構成要素を削除しても良い。
【符号の説明】
【００９８】
１・・・記録媒体
２・・・画像記録装置
３・・・上位装置
４・・・制御部
５・・・媒体搬送機構
６・・・記録部
７・・・媒体回収部
８・・・印刷データ処理部
９・・・記憶部
１０・・媒体給送部
１１・・媒体支持部
１２・・駆動部
１３・・媒体搬送情報生成部
１４ａ・・レジストローラ対
１４ｂ・・排紙ローラ対
１５、１５Ｋ〜１５Ｍ・・ライン型記録ヘッド
１６・・吐出ヘッド
１６−１〜１６−ｎ・・ノズルヘッド
１７・・インク吐出ノズル
１８・・ヘッドホルダ
２０・・位置調整用ノブ
２１・・位置調整ナット
２３・・板ばね
２４・・ヘッド保持部材
２６−１、２６−２、２７−１、２７−２・・ドット
【図１】
2011056880.tif 000003
【図２】
2011056880.tif 000004
【図３】
2011056880.tif 000005
【図４】
2011056880.tif 000006
【図５】
2011056880.tif 000007
【図６】
2011056880.tif 000008
【図７】
2011056880.tif 000009
【図８】
2011056880.tif 000010
【図９】
2011056880.tif 000011
【図１０】
2011056880.tif 000012
【図１１】
2011056880.tif 000013
【図１２】
2011056880.tif 000014
【図１３】
2011056880.tif 000015
【図１４】
2011056880.tif 000016
【図１５】
2011056880.tif 000017
【図１６】
2011056880.tif 000018